(57)【要約】【課題】防水層またはその上の耐根層上に保護層が形成されていても、屋上下地上に植栽装置等の構造物を安全かつ容易に良好な施工効率の下に固着できる固定構造の実現を目的としている。【解決手段】建造物の屋上下地の防水層に設けられる構造物の固定構造であって、一端を防水層に固定した係止具の他端を前記構造物に係止するとともに、構造物と防水層との間には防水層の保護層を介装し、前記係止具は保護層に形成される空隙部を貫通するようにした屋上における構造物の固定構造を提供して、上記課題を解決する。【選択図】  図１
2008266905.tif 000002
【特許請求の範囲】
【請求項１】
建造物の屋上下地の防水層に設けられる構造物の固定構造であって、一端を防水層に固定した係止具の他端を前記構造物に係止するとともに、構造物と防水層との間には防水層の保護層を介装し、前記係止具は保護層に形成される空隙部を貫通するようにした屋上における構造物の固定構造。
【請求項２】
請求項１記載の固定構造において、前記構造物は、植物を生育させるための植栽装置であり、防水層と前記保護層との間において防水層上には耐根層を固着するとともに、前記係止具の一端は前記耐根層に固定し他端は前記植栽装置に係止するようにしたことを特徴とする屋上における構造物の固定構造。
【請求項３】
請求項２記載の固定構造において、保護層は編組体で構成し、前記空隙部は編組体の網目で構成したことを特徴とする屋上における構造物の固定構造。
【請求項４】
請求項２記載の固定構造において、保護層に形成される空隙部は十字状のスリットで構成したことを特徴とする屋上における構造物の固定構造。
【請求項５】
請求項２記載の固定構造において、保護層に形成される空隙部は孔部で構成したことを特徴とする屋上における構造物の固定構造。      
【請求項６】
請求項４記載の固定構造において、前記保護層は軟質樹脂、ゴム、軟質アスファルトシート、不織布その他の柔軟性材で形成したことを特徴とする屋上における構造物の固定構造。
【請求項７】
請求項５記載の固定構造において、前記保護層は硬質樹脂板、硬質ゴム板、軟質樹脂、ゴム、硬質アスファルトシートその他の硬質材で形成したことを特徴とする屋上における構造物の固定構造。
【発明の詳細な説明】
【技術分野】
【０００１】
この発明は、屋上における構造物の固定構造に関し、特に植物が植立される土壌層とこれに関しての保水・給排水手段を有する植栽装置の屋上における固定構造に関するものである。
【背景技術】
【０００２】
近年、建造物の屋上やその他の空間に大規模に植物を植栽し、都市部における無機的な空間の緑化を図る試みが盛んになされるようになっている。
このような時、多くの場合は、建造物等のスラブ面の防水層上に押えのコンクリート層を形成し、この上に、植栽層として、砂、砂利等からなる砂利層と、客土層を順次積層して植物を植栽するようにしている。
【０００３】
しかしながら、植物にとって十分な保水性、排水性を得るためには、防水層にかなりの土砂を導入する必要があり、しかもコンクリート層は相当の重量を有するため、これらの重量が建造物に悪影響を及ぼすという問題がある。
そこで、本出願人は、先に保水性、排水性に優れた軽量の植栽装置を開示している（例えば特許２５３１５４２号公報参照）。
【０００４】
この植栽装置は、建造物の屋上等に形成されているスラブ面に防水層を固定するとともに、この防水層の上面に、不織布等を有する保水材と、凹部及び凸部２を有するドレイン板等とからなる保水給排水手段を設け、さらにこの保水給排水手段の上方に砂利層および客土層からなる植栽層を積層したものとなっており、前記保水給排水手段等によって適正な保水性、排水性を得られるものとなっている。
このため、排水を考慮して設けられていたコンクリート層が不要となり、保水性の向上によって植栽層も草木の根毛の長さなどを考慮した必要最小限の厚さ、例えば５０ｍｍ程度に設定することが可能となっている。
【０００５】
また、屋上には常に一定の風が存在しており、植栽装置をしっかりと固定する風対策が欠かせないが、上記例では、装置の底面を防水層に固着するとともに、一端を防水層に固定した係合具の他端を装置上面まで貫通させて装置に張設した防風ネットを固定させるようにしている。
【０００６】
ところで、植栽装置の施工に当たっては、防水層上で種々の作業をなす必要があるが、この作業の際に、防水層が損傷を受け易い。  また、防水層の上面に植栽装置の植物の根の進出を防止するためのいわゆる耐根層を貼付するようなケースでも、この耐根層や防水層自体の損傷を防止することは難しい。
このため、防水層や耐根層の表面にこれらを覆う保護層を設定する必要が生じてくる。
なお、本願発明に関する文献としてつぎのようなものが存在する。
【特許文献１】特許第２５３１５４２号公報
【特許文献２】特許第２７１７６３２号公報
【発明の開示】
【発明が解決しようとする課題】
【０００７】
しかしながら、保護層を敷設すると、植栽装置の固定が難しくなったり、あるいは装置の固定に煩瑣な作業が必要になってくる。  これは、保護層へ装置の底面を直接接着したり、あるいは前記の係合具の一端を保護層に固定することが困難だからである。その理由は、材質の関係上、保護層を防水層や耐根層にしっかりと接着固定することが難しいからである。
本願発明は、防水層またはその上の耐根層上に保護層が形成されていても、屋上下地上に植栽装置等の構造物を安全かつ容易に良好な施工効率の下に固着できる固定構造の実現を目的としている。
【課題を解決するための手段】
【０００８】
本願発明は、建造物の屋上下地の防水層に設けられる構造物の固定構造であって、一端を防水層に固定した係止具の他端を前記構造物に係止するとともに、構造物と防水層との間には防水層の保護層を介装し、前記係止具は保護層に形成される空隙部を貫通するようにした屋上における構造物の固定構造を提供して上記従来の課題を解決しようとするものである。
【０００９】
また、上記の固定構造において、前記構造物は、植物を生育させるための植栽装置であり、防水層と前記保護層との間において防水層上には耐根層を固着するとともに、前記係止具の一端は前記耐根層に固定し他端は前記植栽装置に係止するようになすことがある。
【００１０】
さらに、上記の固定構造において、保護層は編組体で構成し、前記空隙部は編組体の網目で構成することがある。
【００１１】
また、上記の固定構造において、保護層に形成される空隙部は十字状のスリットで構成することがある。
【００１２】
さらにまた、上記の固定構造において、保護層に形成される空隙部は孔部で構成することがある。
【００１３】
またさらに、上記の固定構造において、前記保護層は軟質樹脂、ゴム、軟質アスファルトシート、不織布その他の柔軟性材で形成することがある。
【００１４】
そして、上記の固定構造において、前記保護層は硬質樹脂板、硬質ゴム板、軟質樹脂、ゴム、硬質アスファルトシートその他の硬質材で形成することがある。
【発明の効果】
【００１５】
上記構成により本願発明は、保護層を敷設した防水層またはその上に張設した耐根層上に植栽装置その他の構築物を安全かつ容易に良好な施工効率の下に固着できるうえ、施工コストも低廉である。
【発明の実施例】
【００１６】
以下、この発明の実施例を図面に基づき説明する。  図１は、本願発明に係る固定構造の一実施例を示す一部切欠断面図である。
図において、１は建造物の屋上スラブ、２は防水層、３は防水層２の表面に貼付される耐根層としての耐根シート、４は耐根シート３の上面に敷設された保護層、５は保護層４を貫通して耐根層３上に固定される係止具であり、６は前記係止具５を介して屋上スラブ１に固定される構造物としての植栽装置である。
【００１７】
この実施例で、係止具５は断面台形状の中空体で形成され下端周囲にはブラケット部５aが形成され、このブラケット部５aは耐根シート３の上面に接着固定されている。係止具５は保護層４および植栽装置６を貫通して、その上端は植栽装置の上面に至り、防風ネットその他に固定されて植栽装置６を屋上スラブにしっかりと固定するようになっている。
【００１８】
図２は、前記保護層４を軟質樹脂、ゴム、軟質アスファルトシート、不織布その他の柔軟性材で形成
した場合の、各部材の関連構成を示す一部切欠斜視図であり、耐根シート３上には、係止具５が所定間隔で整列固定されていて、この係止具５の整列位置に対応して保護層４には空隙部としての十字状のスリット４aが整列穿設されている。このような形態の保護層４を十字状のスリット４aの部分を開口してここに係止具５を貫通させるようにして耐根シート３の上面に敷設した後、図１に示すように植栽装置等の構造物を載置し係止具５に固定する。
【００１９】
図３は、前記保護層４を硬質樹脂板、硬質ゴム板、軟質樹脂、ゴム、硬質アスファルトシートその他の硬質材で形成した場合の、各部材の関連構成を示す一部切欠斜視図であり、耐根シート３上には、係止具５が所定間隔で整列固定されていて、この係止具５の整列位置に対応して保護層４には空隙部としての孔部４bが整列穿設されている。このような形態の保護層４を孔部４bに係止具５を貫通させるようにして耐根シート３の上面に敷設した後、図１に示すように植栽装置等の構造物を載置し係止具５に固定する。
【００２０】
図４は、前記保護層４を保護層はヤシガラ繊維その他による編組体で形成した場合の、各部材の関連構成を示す一部切欠斜視図であり、耐根シート３上には、係止具５が所定間隔で整列固定されている。一方、編組体４において、係止具５に嵌合する空隙部は編組体の網目で構成することになる。  すなわち、網目を拡張するようにしてここに係止具５を貫通させ、編組体４を係止具５の根元に被着させて耐根シート３の上面に敷設した後、図１に示すように植栽装置等の構造物を載置し係止具５に固定する。
【図面の簡単な説明】
【００２１】
【図１】本願発明に係る固定構造の一実施例を示す一部切欠断面図である。
【図２】保護層４を軟質樹脂、ゴム、軟質アスファルトシート、不織布その他の柔軟性材で形成した場合の、各部材の関連構成を示す一部切欠斜視図である。
【図３】前記保護層４を硬質樹脂板、硬質ゴム板、軟質樹脂、ゴム、硬質アスファルトシートその他の硬質材で形成した場合の、各部材の関連構成を示す一部切欠斜視図である。
【図４】保護層４を保護層はヤシガラ繊維その他による編組体で形成した場合の、各部材の関連構成を示す一部切欠斜視図である。
【符号の説明】
【００２２】
１．．．．．．．．．屋上スラブ
２．．．．．．．．．防水層
３．．．．．．．．．耐根シート
４．．．．．．．．．保護層
５．．．．．．．．．係止具・
【図１】
2008266905.tif 000003
【図２】
2008266905.tif 000004
【図３】
2008266905.tif 000005
【図４】
2008266905.tif 000006